(57)【要約】【課題】冷却気体によって電気光学パネルを効率よく冷却することのできる電気光学モジュール、および光学ユニット、および投射型表示装置を提供すること。【解決手段】電気光学モジュール１０、光学ユニット、および投射型表示装置では、電気光学パネル４０の画像表示領域４０ａに対してＹ軸方向の一方側Ｙ１には、電気光学パネル４０の一方面（第２透光板５７の外面）より面外方向（Ｚ軸方向の一方側Ｚ１）に向けて高く突出する乱流発生用の突部８９がＸ軸方向に複数設けられている。Ｙ軸方向の一方側Ｙ１からみたとき、突部８９は三角形状をもって突出している。このため、Ｙ軸方向の一方側Ｙ１から電気光学パネル４０および電気光学モジュール１０に向けて冷却気体を供給すると、電気光学パネル４０の画像表示領域４０ａに沿って流れようとする冷却空気Ａが突部８９を乗り越える際に乱流が発生し、画像表示領域４０ａを効率よく冷却する。【選択図】図４
2013242358.tif 000002
【特許請求の範囲】
【請求項１】
第１面、および前記第１面と対向する第２面を備え、画像表示領域を有する電気光学パネルと、
前記画像表示領域の第１方向側で、前記第１面よりも前記第２面と反対側に向けて突出する複数の突部と、
を有し、
前記複数の突部の各々は、前記第１方向からみたときに三角形状であり、
前記複数の突部は、前記第１方向に交差する第２方向に沿って配列されていることを特徴とする電気光学モジュール。
【請求項２】
前記複数の突部の各々は、前記第１方向からみたとき、第１斜辺と、該第１斜辺とは異なる角度で当該第１斜辺と逆方向に傾いた第２斜辺と、を備えていることを特徴とする請求項１に記載の電気光学モジュール。
【請求項３】
前記複数の突部の各々は、前記第１方向からみたとき、
前記第１面に対して第１角度で傾斜する第１斜辺と、
前記第１面に対して前記第１角度より大きな第２角度で前記第１斜辺と逆方向に傾いた第２斜辺と、
を備え、
前記第１斜辺は、前記第２斜辺の前記第２方向側に配置されていることを特徴とする請求項１に記載の電気光学モジュール。
【請求項４】
前記電気光学パネルを保持するパネル保持部材を有し、
前記複数の突部は、前記パネル保持部材において前記電気光学パネルの前記第１面に重なる部分より面外方向に向けて高く突出していることを特徴とする請求項１乃至３の何れか一項に記載の電気光学モジュール。
【請求項５】
前記パネル保持部材は、前記電気光学パネルを側方で支持する枠状の第１保持部材と、前記電気光学パネルの前記第１面に重なる第２保持部材と、
を有し、
前記複数の突部は、前記第２保持部材において前記電気光学パネルの前記第１面に重なる部分より面外方向に向けて高く突出していることを特徴とする請求項４に記載の電気光学モジュール。
【請求項６】
前記複数の突部は、前記第２保持部材の外縁から面外方向に向けて屈曲してなることを特徴とする請求項５に記載の電気光学モジュール。
【請求項７】
前記複数の突部は、前記第１保持部材において前記第２保持部材から露出している部分に形成されていることを特徴とする請求項５に記載の電気光学モジュール。
【請求項８】
前記複数の突部のうち、前記第２方向で隣り合う突部の間に形成されている隙間の底は、前記第２保持部材の前記電気光学パネル側の面と同一の高さ位置、あるいは当該面より低い位置にあることを特徴とする請求項７に記載の電気光学モジュール。
【請求項９】
前記画像表示領域が前記第２方向で延在している範囲内で前記複数の突部の形成密度が相違していることを特徴とする請求項１乃至８の何れか一項に記載の電気光学モジュール。
【請求項１０】
請求項１乃至９の何れか一項に記載の電気光学モジュールと、
前記電気光学モジュールによって変調された光を投射する投射光学系と、
を有していることを特徴とする光学ユニット。
【請求項１１】
前記電気光学モジュールに対して前記第１面側で対向する光学素子を備え、
前記複数の突部の各々の先端は、前記光学素子と離間していることを特徴とする請求項１０に記載の光学ユニット。
【請求項１２】
請求項１０または１１に記載の光学ユニットと、
前記電気光学モジュールに供給される光を出射する光源部と、
前記電気光学モジュールに対して前記第１方向から冷却気体を供給する冷却装置と、
を有していることを特徴とする投射型表示装置。
【発明の詳細な説明】
【技術分野】
【０００１】
本発明は、投射型表示装置等の電子機器に用いられる電気光学モジュール、該電気光学モジュールを備えた光学ユニット、および該光学ユニットを備えた投射型表示装置に関するものである。
【背景技術】
【０００２】
投射型表示装置等の電子機器において画像を表示する際には、液晶パネル等の電気光学パネルによって変調した光を利用する。かかる電気光学パネルは、例えば、第１基板と第２基板との間に電気光学物質層が設けられた構成を有しており、電気光学パネルが温度上昇すると、電気光学物質層の劣化等が発生する。このため、投射型表示装置等の電子機器では、電気光学パネルに冷却空気を供給し、電気光学パネルの温度上昇を低く抑えた構造が採用される。
【０００３】
また、電気光学パネルに対する冷却効果を高める構造も提案されている。例えば、電気光学パネルがフレーム等のパネル保持部材によって保持されている場合、パネル保持部材において冷却空気の上流側に位置する部分にテーパー面を設け、かかるテーパー面によって冷却空気が電気光学パネルに沿ってスムーズに流れるようにした構成が提案されている（特許文献１参照）。また、電気光学パネルがフレーム等のパネル保持部材によって保持されている場合、パネル保持部材の表面に突部を設けることにより、冷却空気に乱流を発生させて、パネル保持部材に対する冷却効果を高めた構成が提案されている（特許文献２参照）。
【先行技術文献】
【特許文献】
【０００４】
【特許文献１】特開２０１１−２８０８９号公報
【特許文献２】特開２００４−２０５７８０号公報
【発明の概要】
【発明が解決しようとする課題】
【０００５】
しかしながら、特許文献１に記載の構成のように、テーパー面によって冷却空気が電気光学パネルに沿ってスムーズに流れるようにした場合、冷却空気は層流状態にあるため、電気光学パネルの表面を冷却する効果が小さい。
【０００６】
また、特許文献２に記載の構成では、パネル保持部材に対する冷却効果を高めることはできても、冷却空気が電気光学パネルの非表示領域と接触した保持枠を介して冷却する構成になっているので、電気光学パネルを冷却する効果が小さい。
【０００７】
以上の問題点に鑑みて、本発明の課題は、冷却気体によって電気光学パネルを効率よく冷却することのできる電気光学モジュール、および当該電気光学モジュールを備えた光学ユニット、および当該光学ユニットを備えた投射型表示装置を提供することにある。
【課題を解決するための手段】
【０００８】
上記課題を解決するために、本発明に係る電気光学モジュールは、第１面、および前記第１面と対向する第２面を備え、画像表示領域を有する電気光学パネルと、前記画像表示領域の第１方向側で、前記第１面よりも前記第２面と反対側に向けて突出する複数の突部と、を有し、前記複数の突部の各々は、前記第１方向からみたときに三角形状であり、前記複数の突部は、前記第１方向に交差する第２方向に沿って配列されていることを特徴とする。
【０００９】
本発明に係る電気光学モジュールは、画像表示領域に対する第１方向側の領域には、電気光学パネルの第１面より面外方向に向けて突出する複数の突部を有しているため、第１方向側から電気光学パネルに向けて冷却気体を供給すると、画像表示領域に沿って流れようとする冷却気体が突部を乗り越える際に乱流が発生し、画像表示領域を効率よく冷却する。特に、本形態では、第１方向からみたとき、突部は三角形状をもって突出しているため、冷却気体が複数の突部を乗り越える際に、画像表示領域に向けて下降する乱流が効率よく発生する。それ故、画像表示領域を効率よく冷却することができる。
【００１０】
本発明において、前記複数の突部の各々は、前記第１方向からみたとき、第１斜辺と、該第１斜辺とは異なる角度で当該第１斜辺と逆方向に傾いた第２斜辺と、を備えていることが好ましい。かかる構成によれば、第１斜辺を乗り越えようとする冷却気体と、第２斜辺を乗り越えようとする冷却気体との間に流速や流れる方向に差が発生する。従って、乱流が効率よく発生するので、画像表示領域を効率よく冷却することができる。
【００１１】
本発明において、前記複数の突部の各々は、前記第１方向からみたとき、前記第１面に対して第１角度で傾斜する第１斜辺と、前記第１面に対して、前記第１面に対して前記第１角度より大きな第２角度で、前記第１斜辺と逆方向に傾いた第２斜辺と、を備え、前記第１斜辺は、前記第２斜辺の前記第２方向側に配置されていることが好ましい。かかる構成によれば、乱流同士が衝突して流速が低下することがないので、画像表示領域を効率よく冷却することができる。
【００１２】
本発明において、前記電気光学パネルを保持するパネル保持部材を有し、前記複数の突部は、前記パネル保持部材において前記電気光学パネルの前記第１面に重なる部分より面外方向に向けて高く突出していることが好ましい。電気光学パネルがパネル保持部材に保持されている場合、冷却気体は、パネル保持部材に沿って流れる結果、冷却気体が画像表示領域から離れた個所を流れようとするが、本発明では、画像表示領域に向けて下降する乱流が効率よく発生する。それ故、電気光学パネルがパネル保持部材に保持されている場合でも、画像表示領域を効率よく冷却することができる。また、別部材を追加しなくても、乱流発生用の突部を設けることができる。
【００１３】
本発明において、前記パネル保持部材は、前記電気光学パネルを側方で支持する枠状の第１保持部材と、前記電気光学パネルの前記第１面に重なる第２保持部材と、を有し、前記複数の突部は、前記第２保持部材において前記電気光学パネルの前記第１面に重なる部分より面外方向に向けて高く突出している構成を採用することができる。
【００１４】
この場合、前記複数の突部は、前記第２保持部材の外縁から面外方向に向けて屈曲してなる構成を採用することができる。
【００１５】
本発明において、前記複数の突部は、前記第１保持部材において前記第２保持部材から露出している部分に形成されている構成を採用してもよい。
【００１６】
この場合、前記複数の突部のうち、前記第２方向で隣り合う突部の間に形成されている隙間の底は、前記第２保持部材の前記電気光学パネル側の面と同一の高さ位置、あるいは当該面より低い位置にあることが好ましい。かかる構成によれば、電気光学パネルおよび電気光学モジュールから突部の先端が一方面側に向かって大きく突出した構造を採用しなくても、突部が高いので、乱流を効率よく発生させることができる。
【００１７】
本発明において、前記画像表示領域が前記第２方向で延在している範囲内で前記複数の突部の形成密度が相違していることが好ましい。かかる構成によれば、乱流の発生度合を第２方向で変化させることができるので、画像表示領域における冷却度合を変化させることができる。それ故、画像表示領域において温度上昇が大の領域に突部を高い密度で形成すれば、画像表示領域の温度分布を均一化することができる。
【００１８】
本発明に係る光学ユニットにおいて、電気光学モジュールと、前記電気光学モジュールによって変調された光を投射する投射光学系と、を有している構成を使用することができる。
【００１９】
この場合、前記電気光学モジュールに対して前記第１面側で対向する光学素子を備え、前記複数の突部の各々の先端は、前記光学素子と離間していることが好ましい。かかる構成によれば、電気光学モジュールの第１面側に突部を設けても、突部と光学素子とが干渉しないので、電気光学モジュールおよび光学素子を適正な位置に配置することができる。
【００２０】
本発明に係る光学ユニットは投射型表示装置に用いることができ、この場合、投射型表示装置は、前記電気光学モジュールに供給される光を出射する光源部と、前記電気光学モジュールに対して前記第１方向から冷却気体を供給する冷却装置と、を有していることが好ましい。
【図面の簡単な説明】
【００２１】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明の実施の形態１に係る投射型表示装置に用いた電気光学モジュールの斜視図である。
【図５】本発明の実施の形態１に係る投射型表示装置に用いた電気光学モジュールの断面図である。
【図６】本発明の実施の形態１に係る電気光学モジュールに設けた乱流発生用の突部を示す説明図である。
【図７】本発明の実施の形態１に係る電気光学モジュールに設けた乱流発生用の突部の配置パターンを示す説明図である。
【図８】本発明の実施の形態２に係る投射型表示装置に用いた電気光学モジュールの斜視図である。
【図９】本発明の実施の形態２に係る投射型表示装置に用いた電気光学モジュールの端部を拡大して示す断面図である。
【発明を実施するための形態】
【００２２】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２３】
［実施の形態１］
（投射型表示装置（電子機器）の構成）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２４】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２５】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に、後述する電気光学パネルの冷却装置として機能する。
【００２６】
図２において、光学ユニット９を構成する各光学素子（要素）は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２７】
（光学ユニット９の詳細構成）
図３は、本発明を適用した投射型表示装置に用いた光学ユニットの詳細構成を示す説明図である。
【００２８】
図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂに対応する電気光学パネル４０（Ｂ）に導くリレー光学系９２７を備えている。
【００２９】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００３０】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００３１】
色光分離光学系９２４の赤色光束および緑色光束の出射部９４４、９４５の出射側には、それぞれ集光レンズ９５１、９５２が配置されている。従って、各出射部から出射した赤色光束および緑色光束は、これらの集光レンズ９５１、９５２に入射して平行化される。
【００３２】
平行化された赤色および緑色の光束Ｒ、Ｇは、偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３３】
一方、青色光束Ｂは、リレー光学系９２７を介し、さらに、偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３４】
各電気光学パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３５】
（電気光学モジュールの全体構成）
図４は、本発明の実施の形態１に係る投射型表示装置１に用いた電気光学モジュールの斜視図であり、図４（ａ）、（ｂ）は、電気光学モジュールを光入射側からみたときの斜視図、および電気光学モジュールの円Ｐで囲まれた部分の周辺を拡大して示す斜視図である。図５は、本発明の実施の形態１に係る投射型表示装置１に用いた電気光学モジュールの断面図であり、図５（ａ）、（ｂ）は、電気光学モジュール全体の断面図、および電気光学モジュールの端部を拡大して示す断面図である。
【００３６】
なお、図４および図５において、光源光の進行方向については矢印Ｌ１１で示し、電気光学パネル４０によって光源光を変調した後の表示光の進行方向については矢印Ｌ１２で示し、図１に示す吸気ファン１５Ｂ等によって電気光学パネル４０に供給される冷却空気の流れについては矢印Ａで示してある。また、以下の説明では、電気光学パネル４０および電気光学モジュールの面内方向で互いに交差する方向の一方をＸ軸方向とし、他方をＹ軸方向とし、Ｘ軸方向およびＹ軸方向に交差する方向をＺ軸方向とする。また、以下に参照する図面では、Ｘ軸方向の一方側をＸ１側とし、他方側をＸ２側とし、Ｙ軸方向の一方側（フレキシブル配線基板４０ｉが位置する側とは反対側）をＹ１側とし、他方側をＹ２側とし、Ｚ軸方向の一方側（光源光が入射する側）をＺ１側とし、これと他方側（表示光が出射される側）をＺ２側として表してある。
【００３７】
図４および図５に示すように、本形態では、電気光学パネル４０を、図１〜図３を参照して説明した投射型表示装置１および光学ユニット９に搭載するにあたっては、電気光学パネル４０をパネル保持部材３０によって保持した電気光学モジュール１０として搭載する。ここで、図３を参照して説明した電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０も赤色用（Ｒ）、緑色用（Ｇ）、青色用（Ｂ）で同一の構成を有している。従って、以下の説明では、電気光学パネル４０および電気光学モジュール１０等については、対応する色を示す（Ｒ）（Ｇ）（Ｂ）を付さずに説明する。
【００３８】
電気光学パネル４０では、透光性の第１基板５１（素子基板）と透光性の第２基板５２（対向基板）とが所定の隙間を介してシール材によって貼り合わされている。第１基板５１および第２基板５２には石英ガラスや耐熱ガラス等が用いられており、本形態において、第１基板５１および第２基板５２には石英ガラスが用いられている。本形態において、電気光学パネル４０は液晶パネルであり、第１基板５１と第２基板５２との間においてシール材によって囲まれた領域内に電気光学物質層４５０としての液晶層が保持されている。
【００３９】
第１基板５１は四角形であり、第２基板５２も、第１基板５１と同様、四角形である。電気光学パネル４０の略中央には画像表示領域４０ａが設けられており、かかる画像表示領域４０ａは、光源光が入射するとともに、光源光を変調した変調光を出射する領域である。本形態では、画像表示領域４０ａが四角形の領域として設けられており、かかる形状に対応して、シール材も略四角形に設けられている。また、シール材の内周縁と画像表示領域４０ａの外周縁との間には、四角枠状の周辺領域が設けられている。
【００４０】
平面視で、第１基板５１は第２基板５２よりサイズが大きく、第１基板５１の４つの側面は各々、第２基板５２の側面より外側に張り出している。このため、第２基板５２の周りには、第１基板５１と第２基板５２の端部とによって段部が形成され、かかる段部では、第１基板５１が第２基板５２から露出した状態にある。ここで、第１基板５１の４つの端部のうち、Ｙ軸方向の他方側Ｙ２に位置する端部は、他の端部より第２基板５２の端部から大きく張り出しており、かかる端部にフレキシブル配線基板４０ｉが接続されている。第１基板５１の第２基板５２と対向する面には、画像表示領域４０ａに、透光性の画素電極および画素電極に対応する画素トランジスター（スイッチング素子／図示せず）を備えた画素がマトリクス状に形成されている。また、第２基板５２の第１基板５１と対向する面には透光性の共通電極が形成されている。本形態では、画素電極および共通電極がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１に配置され、第１基板５１はＺ軸方向の他方側Ｚ２に配置されている。
【００４１】
なお、本形態の電気光学パネル４０において、第１基板５１の第２基板５２とは反対側の面には第１透光板５６が接着剤等により貼付され、第２基板５２の第１基板５１とは反対側の面には第２透光板５７が接着剤等により貼付されている。第１透光板５６および第２透光板５７は各々、防塵ガラスとして構成されており、塵等が第１基板５１の外面や第２基板５２の外面に付着するのを防止する。このため、電気光学パネル４０に塵が付着したとしても、塵は電気光学物質層４５０から離間している。従って、図１等を参照して説明した投射型表示装置１から投射された画像に塵が像として写し出されることを抑制することができる。第１透光板５６および第２透光板５７には石英ガラスや耐熱ガラス等が用いられており、本形態において、第１透光板５６および第２透光板５７には、第１基板５１および第２基板５２と同様、石英ガラスが用いられており、その厚さは１．１〜１．２ｍｍである。
【００４２】
ここで、第１透光板５６は、第１基板５１より小さく、第１基板５１の一部を露出させた状態で電気光学パネル４０の少なくとも画像表示領域４０ａに重なるように設けられている。第２透光板５７は、第２基板５２より小さく、第２基板５２の一部を露出させた状態で電気光学パネル４０の少なくとも画像表示領域４０ａに重なるように設けられている。従って、第１透光板５６および第２透光板５７の周りには段部が構成されている。
【００４３】
（パネル保持部材３０の構成）
本形態では、電気光学パネル４０を投射型表示装置１の光学ユニット９に搭載するにあたっては、補強等を目的に、電気光学パネル４０をパネル保持部材３０により保持した電気光学モジュール１０とする。本形態において、パネル保持部材３０は、電気光学パネル４０を側方で支持するフレーム６０（第１パネル保持部材）と、電気光学パネル４０の一方面側（Ｚ軸方向の一方側Ｚ１）に重なる見切り部材８０（第２パネル保持部材）とが用いられている。
【００４４】
フレーム６０は、中央に矩形の開口部６８を備えた矩形枠状の樹脂製部材あるいは金属製部材であり、電気光学パネル４０の周りを囲む枠部６１を備えている。枠部６１において、隣り合う辺同士の連結部（角部分）は、筒状の連結部６５１、６５２、６５３、６５４になっている。本形態において、フレーム６０は金属製部材である。
【００４５】
フレーム６０において、枠部６１の内側面は、電気光学パネル４０の端部の形状に対応する多段構造になっている。このため、フレーム６０に見切り部材８０を取り付けた後、フレーム６０の内側に電気光学パネル４０を装着すると、電気光学パネル４０は、Ｚ方向の一方側から見切り部材８０によって支持されるとともに、周りがフレーム６０の段部で支持された状態となる。
【００４６】
Ｙ軸方向の一方側Ｙ１において、フレーム６０の枠部６１では、Ｚ軸方向の一方側Ｚ１に向く面６１１に平面部６１２が形成されているとともに、平面部６１２にＹ軸方向の一方側Ｙ１で隣接する位置には、Ｚ軸方向の一方側Ｚ１からＹ軸方向の一方側Ｙ１に向けて斜めに傾いたテーパー面６１３が形成されている。また、面６１１には、テーパー面６１３にＹ軸方向の一方側Ｙ１に隣接する位置に平面部６１４が形成され、平面部６１４にＹ軸方向の一方側Ｙ１で隣接する位置には、軸方向の一方側Ｚ１からＹ軸方向の一方側Ｙ１に向けて斜めに傾いたテーパー面６１５が形成されている。従って、フレーム６０の枠部６１の面６１１では、Ｙ軸方向の一方側Ｙ１（側端面６１９の側）からＹ軸方向の他方側Ｙ２（開口部６８および画像表示領域４０ａ）に向けて、テーパー面６１５、平面部６１４、テーパー面６１３および平面部６１２がこの順に形成されている。
【００４７】
これに対して、Ｙ軸方向の一方側Ｙ１において、フレーム６０の枠部６１のＺ軸方向の他方側Ｚ２に向く面６１６には、平面部６１７が形成されているとともに、平面部６１７にＹ軸方向の一方側Ｙ１で隣接する位置には、Ｚ軸方向の他方側Ｚ２からＹ軸方向の一方側Ｙ１に向けて斜めに傾いたテーパー面６１８が形成されている。
【００４８】
見切り部材８０は、金属板あるいは樹脂板からなり、本形態において、見切り部材８０は、黒色層を設けた金属板からなる。見切り部材８０は、フレーム６０に対して光入射側で重なる四角形の端板部８７を備えており、端板部８７には、電気光学パネル４０の画像表示領域４０ａと重なる領域に矩形の開口部８８が形成されている。開口部８８は、フレーム６０の開口部６８に比して小さく、端板部８７は、開口部６８の全周において開口部６８の内側に張り出している。このため、見切り部材８０の端板部８７は、電気光学パネル４０に光が入射する範囲を制限する見切り部として機能する。
【００４９】
見切り部材８０は、端板部８７のＸ軸方向の両側に位置する外縁からフレーム６０の枠部６１の外側面に沿ってＺ軸方向の他方側Ｚ２に向けて延在する側板部８１を備えている。本形態において、側板部８１は、Ｙ軸方向で離間する２個所に設けられており、かかる２枚の側板部８１の各々に係合穴８１０が形成されている。一方、フレーム６０の枠部６１の外側面には、２つの係合穴８１０の各々に嵌る係合突起６４７が形成されている。従って、見切り部材８０は、側板部８１がフレーム６０の係合突起６４７に係合することによってフレーム６０に連結され、フレーム６０と一体化している。その結果、フレーム６０の内側には、見切り部材８０の端板部８７を底部とするパネル収容部が構成され、かかるパネル収容部に電気光学パネル４０が収容される。
【００５０】
なお、フレーム６０の枠部６１の外側面において、２つの係合突起６４７に挟まれた位置には係合突起６４８、６４９が形成されており、突起６４８は、見切り部材８０の側板部８１の縁に当接して側板部８１の位置決めを行う。係合突起６４９は、電気光学モジュール１０を組み立てる際、フレーム６０と電気光学パネル４０との間に塗布した接着剤が固化するまで、電気光学パネル４０をフレーム６０の内側に保持しておく止め具（図示せず）が係合する。なお、止め具については、入射側の見切り部材８０と同様な枠状部材として形成し、止め具を出射側の見切り部材として用いることもある。
【００５１】
（電気光学パネル４０に対する冷却構造）
図６は、本発明の実施の形態１に係る電気光学モジュール１０に設けた乱流発生用の突部を示す説明図であり、図６（ａ）、（ｂ）は、本形態の突部をＹ軸方向からみた説明図、および本形態の変形例に係る突部をＹ軸方向からみた説明図である。図７は、本発明の実施の形態１に係る電気光学モジュール１０に設けた乱流発生用の突部の配置パターンを示す説明図であり、図７（ａ）、（ｂ）は、本形態の突部の配置パターンをＹ軸方向からみた説明図、および本形態の変形例に係る突部の配置パターンをＹ軸方向からみた説明図である。
【００５２】
本形態の投射型表示装置１では、図１（ｂ）に示す吸気ファン１５Ｂ（冷却装置）によって、Ｙ軸方向の一方側Ｙ１から電気光学モジュール１０に冷却空気（図４および図５の矢印Ａ）を供給し、冷却空気を電気光学モジュール１０の少なくともＺ軸方向の一方側Ｚ１に通すことにより、電気光学パネル４０を空冷し、電気光学物質層４５０の劣化を防止する。その際、電気光学モジュール１０のフレーム６０では、枠部６１のＹ軸方向の一方側Ｙ１にテーパー面６１３、６１５が形成されているため、冷却空気Ａは、テーパー面６１３、６１５に沿って流れる。それ故、電気光学モジュール１０のＺ軸方向の一方側Ｚ１の面に沿って効率よく流れる。また、冷却空気Ａを、テーパー面６１８に沿って流し、電気光学モジュール１０のＺ軸方向の他方側Ｚ１にも通してもよい。
【００５３】
ここで、電気光学モジュール１０のＺ軸方向の一方側Ｚ１の面では、電気光学パネル４０の画像表示領域４０ａの部分が、パネル保持部材３０のＺ軸方向の一方側Ｚ１の面より、Ｚ軸方向の他方側Ｚ２に凹んだ位置にある。そこで、本形態では、以下に説明するように、電気光学モジュール１０のＺ軸方向の一方側Ｚ１を流れる冷却空気Ａを乱流化することにより、冷却空気Ａを電気光学パネル４０の画像表示領域４０ａに向かわせ、電気光学パネル４０の画像表示領域４０ａに対する冷却効率を高める。
【００５４】
具体的には、電気光学モジュール１０には、画像表示領域４０ａに対して画像表示領域４０ａの面内方向（Ｘ軸方向およびＹ軸方向）のうち、Ｙ軸方向の一方側Ｙ１（第１方向側）に、電気光学パネル４０の一方面（第１面／第２透光板５７の外面／Ｚ軸方向の一方側Ｚ１の面）よりＺ軸方向の一方側Ｚ１に向けて高く突出する乱流発生用の突部８９がＸ軸方向に複数設けられている。言い換えれば、電気光学モジュール１０には、画像表示領域４０ａに対してＹ軸方向の一方側Ｙ１（第１方向側）に、電気光学パネル４０の一方面（第１面）より電気光学パネル４０の他方面（第２面／第１透光板５６の外面／Ｚ軸方向の他方側Ｚ２の面）とは反対側に向けて高く突出する乱流発生用の突部８９がＸ軸方向に複数設けられている。本形態では、フレーム６０の連結部６５１、６５２で挟まれた領域に対してＹ軸方向で重なる領域の全体にわたって突部８９が形成されている。
【００５５】
本形態において、突部８９は、電気光学パネル４０を保持するパネル保持部材３０において電気光学パネル４０のＺ軸方向の一方側Ｚ１の面に重なる部分（見切り部材８０の端板部８７）よりＺ軸方向（面外方向）に向けて高く突出している。より具体的には、突部８９は、見切り部材８０の端板部８７のＹ軸方向の一方側Ｙ１の外縁を、図５（ａ）に示すように、Ｚ軸方向の一方側Ｚ１に向けて三角形状に切り起こした部分からなり、突部８９は、Ｚ軸方向の一方側Ｚ１からＹ軸方向の一方側Ｙ１に斜めに傾くように折り曲げられている。かかる突部８９のＺ軸方向の先端８９０は、電気光学パネル４０の一方面（第２透光板５７の外面）よりＺ軸方向で高い位置にあり、突部８９の間に形成されている隙間８９５のＺ軸方向の底８９６は、電気光学パネル４０の一方面（第２透光板５７の外面）よりＺ軸方向でわずかに高い位置にある。
【００５６】
かかる構成によれば、図５（ｂ）に示すように、Ｙ軸方向の一方側Ｙ１から流れてきた冷却空気Ａが突部８９を乗り越える際、乱流が発生し、電気光学パネル４０の第２透光板５７の外面に向かって下降する。このため、電気光学パネル４０の画像表示領域４０ａを効率よく冷却することができる。
【００５７】
ここで、光学ユニット９および投射型表示装置１では、図３に示すように、電気光学モジュール１０に対してＺ軸方向の一方側Ｚ１には、入射側の偏光板１６０（光学素子）が対向配置されているが、本形態では、突部６９の先端６９０は、入射側の偏光板１６０と離間している。このため、電気光学モジュール１０のＺ軸方向の一方側Ｚ１に突部６９を設けても、突部６９と偏光板１６０が干渉しないので、電気光学モジュール１０および偏光板１６０を適正な位置に配置することができる。
【００５８】
突部８９としては、図６（ａ）に示すように、Ｙ軸方向の一方側Ｙ１からみたとき、第１斜辺８９１と、電気光学パネル４０の一方面を基準として第１斜辺８９１とは異なる角度で第１斜辺８９１と逆方向に傾いた第２斜辺８９２とを備えた形状を採用することができる。ここで、第１斜辺８９１は、電気光学パネル４０の第２透光板５７のＺ軸方向の一方側の面に対して第１角度で傾斜し、第２斜辺８９２は、電気光学パネル４０の第２透光板５７のＺ軸方向の一方側の面に対して第１角度より大きな第２角度で傾斜している。また、突部８９としては、図６（ｂ）に示すように、Ｙ軸方向の一方側Ｙ１からみたとき、第１斜辺８９１と、第１斜辺８９１とは同一の角度で第１斜辺８９１と逆方向に傾いた第２斜辺８９２とを備えた形状を採用してもよい。但し、図６（ａ）に示す突部８９によれば、第１斜辺８９１を乗り越えようとする冷却空気Ａと、第２斜辺８９２を乗り越えようとする冷却空気Ａとの間に流速や流れる方向に差が発生する。従って、乱流が効率よく発生するので、画像表示領域４０ａを効率よく冷却することができるという利点がある。
【００５９】
また、複数の突部８９のＸ軸方向における配置パターンとしては、図７（ａ）に示すように、複数の突部８９がいずれも、第１斜辺８９１に対してＸ軸方向の同一の側（Ｘ軸方向の他方側Ｘ２）に第２斜辺８９２を備えているパターンを採用することができる。また、複数の突部８９のＸ軸方向における配置パターンとしては、図７（ｂ）に示すように、複数の突部８９には、第１斜辺８９１に対してＸ軸方向の他方側Ｘ２に第２斜辺８９２を備えている突部８９の群と、第１斜辺８９１に対してＸ軸方向の一方側Ｘ１に第２斜辺８９２を備えている突部８９の群とが含まれているパターンを採用することができる。但し、図７（ａ）に示す配置パターンによれば、乱流同士が衝突して流速が低下することがないので、画像表示領域４０ａを効率よく冷却することができるという利点がある。
【００６０】
ここで、突部６９は、Ｘ軸方向におけるピッチが一定であり、画像表示領域４０ａがＸ軸方向で延在している範囲内で同一の密度で形成されている。
【００６１】
（本形態の主な効果）
以上説明したように、本形態の電気光学モジュール１０、光学ユニット９、および投射型表示装置１（電子機器）では、画像表示領域４０ａに対してＹ軸方向の一方側Ｙ１（第１方向側）には、電気光学パネル４０の一方面（第２透光板５７の外面）より面外方向（Ｚ軸方向の一方側Ｚ１）に向けて高く突出する乱流発生用の突部８９がＸ軸方向に複数設けられている。このため、Ｙ軸方向の一方側Ｙ１から電気光学パネル４０および電気光学モジュール１０に向けて冷却気体を供給すると、電気光学パネル４０の画像表示領域４０ａに沿って流れようとする冷却空気Ａが突部８９を乗り越える際に乱流が発生し、画像表示領域４０ａを効率よく冷却する。特に、本形態では、Ｙ軸方向の一方側Ｙ１からみたとき、突部８９は三角形状をもって突出しているため、冷却空気Ａが突部８９を乗り越える際に、画像表示領域４０ａに向けて下降する乱流が効率よく発生する。それ故、画像表示領域４０ａを効率よく冷却することができる。
【００６２】
また、本形態では、電気光学パネル４０のＺ軸方向の一方側Ｚ１に重なる見切り部材８０（第２保持部材）の端板部８７に形成されているため、突部８９は、見切り部材８０において電気光学パネル４０のＺ軸方向の一方側Ｚ１の面に重なる端板部８７よりＺ軸方向で高く突出しているので、乱流が効率よく発生する。また、見切り部材８０に突部８９が形成されているため、別部材を追加しなくても、乱流発生用の突部８９を設けることができる。
【００６３】
［実施の形態２］
図８は、本発明の実施の形態２に係る投射型表示装置１に用いた電気光学モジュール１０の斜視図であり、図８（ａ）、（ｂ）は、電気光学モジュール１０を光入射側からみたときの斜視図、および電気光学モジュール１０の円Ｐで囲まれた部分の周辺を拡大して示す斜視図である。図９は、本発明の実施の形態２に係る投射型表示装置１に用いた電気光学モジュール１０の端部を拡大して示す断面図である。なお、本形態の基本的な構成は実施の形態１と同様であるため、共通する部分には同一の符号を付してそれらの説明を省略する。
【００６４】
図８および図９に示すように、本形態でも、実施の形態１と同様、電気光学パネル４０を投射型表示装置１の光学ユニット９に搭載するにあたっては、電気光学パネル４０をパネル保持部材３０により保持した電気光学モジュール１０とする。パネル保持部材３０は、実施の形態１と同様、電気光学パネル４０を側方で支持するフレーム６０（第１パネル保持部材）と、電気光学パネル４０の一方面側（Ｚ軸方向の一方側Ｚ１）に重なる見切り部材８０（第２パネル保持部材）とを備えている。
【００６５】
本形態においては、実施の形態１と同様、フレーム６０のＹ軸方向の一方側Ｙ１において、枠部６１のＺ軸方向の一方側Ｚ１の面６１１には、平面部６１４に対してＹ軸方向の一方側Ｙ１で隣接する位置に、軸方向の一方側Ｚ１からＹ軸方向の一方側Ｙ１に向けて斜めに傾いたテーパー面６１５が形成されているが、平面部６１２と平面部６１４との間にはテーパー面６１３が形成されておらず、乱流発生用の突部６９が形成されている。このため、本形態でも、実施の形態１と同様、画像表示領域４０ａに対してＹ軸方向の一方側Ｙ１には、電気光学パネル４０の一方面（第２透光板５７の外面）より面外方向（Ｚ軸方向の一方側Ｚ１）に向けて高く突出する乱流発生用の突部６９が形成されている。ここで、突部６９は、Ｘ軸方向に複数設けられており、かかる突部６９は、電気光学パネル４０のＺ軸方向の一方側Ｚ１の面に重なる部分（見切り部材８０の端板部８７）よりＺ軸方向（面外方向）に向けて高く突出している。
【００６６】
本形態において、突部６９は、フレーム６０において、見切り部材８０から露出した位置でＹ軸方向に延在する断面三角形のリブ状突部として形成されている。また、本形態では、フレーム６０の連結部６５１、６５２で挟まれた領域の全体にわたって突部６９が形成されている。かかる突部６９のＺ軸方向の先端６９０は、電気光学パネル４０の一方面（第２透光板５７の外面）よりＺ軸方向で高い位置にある。また、突部６９の間に形成されている隙間６９５のＺ軸方向の底６９６は、電気光学パネル４０の一方面（第２透光板５７の外面）や見切り部材８０の端板部８７の電気光学パネル４０側の面に対して、同一の高さ位置、あるいはわずかに低い位置にある。
【００６７】
突部６９は、図６（ａ）に示すように、実施の形態１で説明した突部８９と同様、Ｙ軸方向の一方側Ｙ１からみたとき、第１斜辺６９１と、第１斜辺６９１とは異なる角度で第１斜辺６９１と逆方向に傾いた第２斜辺６９２とを備えた三角形状を有している。また、図７（ａ）に示すように、複数の突部６９はいずれも、第１斜辺６９１に対してＸ軸方向の同一の側に第２斜辺６９２を備えている。
【００６８】
ここで、突部６９は、Ｘ軸方向におけるピッチが一定であり、画像表示領域４０ａがＸ軸方向で延在している範囲内で同一の密度で形成されている。
【００６９】
このように本形態でも、画像表示領域４０ａに対してＹ軸方向の一方側Ｙ１（第１方向側）には、電気光学パネル４０の一方面（第２透光板５７の外面）より面外方向（Ｚ軸方向の一方側Ｚ１）に向けて高く突出する乱流発生用の突部６９がＸ軸方向に複数設けられている。このため、Ｙ軸方向の一方側Ｙ１から電気光学パネル４０および電気光学モジュール１０に向けて冷却気体を供給すると、電気光学パネル４０の画像表示領域４０ａに沿って流れようとする冷却空気Ａが突部６９を乗り越える際に乱流が発生し、画像表示領域４０ａを効率よく冷却する。特に、本形態では、Ｙ軸方向の一方側Ｙ１からみたとき、突部６９は三角形状をもって突出しているため、冷却空気Ａが突部６９を乗り越える際に、画像表示領域４０ａに向けて下降する乱流が効率よく発生する。それ故、画像表示領域４０ａを効率よく冷却することができる等、実施の形態１と同様な効果を奏する。
【００７０】
また、本形態では、電気光学パネル４０を側方で保持するフレーム６０（第１保持部材）の枠部６１に形成されており、突部６９は、見切り部材８０において電気光学パネル４０のＺ軸方向の一方側Ｚ１の面に重なる端板部８７よりＺ軸方向で高く突出している。このため、乱流が効率よく発生する。また、フレーム６０に突部６９が形成されているため、別部材を追加しなくても、乱流発生用の突部６９を設けることができる。
【００７１】
また、突部６９のＺ軸方向の先端６９０は、電気光学パネル４０の一方面（第２透光板５７の外面）よりＺ軸方向で高い位置にあり、突部６９の間に形成されている隙間６９５のＺ軸方向の底６９６は、電気光学パネル４０の一方面（第２透光板５７の外面）と同一の高さ位置、あるいは電気光学パネル４０の一方面（第２透光板５７の外面）よりわずかに低い位置にある。従って、電気光学パネル４０および電気光学モジュール１０から突部６９の先端６９０がＺ軸方向に向かって大きく突出した構造を採用しなくても、突部６９が高いので、乱流を効率よく発生させることができる。
【００７２】
［他の実施の形態］
上記実施の形態では、Ｘ軸方向において突部６９、８９を等ピッチに形成したため、Ｘ軸方向で延在している範囲内で突部６９、８９の形成密度が一定であったが、かかる形成密度をＸ軸方向で相違させてもよい。かかる構成によれば、乱流の発生度合をＸ軸方向で変化させることができるので、画像表示領域４０ａにおける冷却度合を変化させることができる。それ故、画像表示領域４０ａにおいて温度上昇が大の領域に突部６９、８９を高い密度で形成すれば、画像表示領域４０ａの温度分布を均一化することができる。例えば、画像表示領域４０ａは中央側で温度上昇が大であるので、Ｘ軸方向の中央においては両端よりも突部６９、８９の形成密度を高くすれば、画像表示領域４０ａの温度分布を均一化することができる。
【００７３】
上記実施の形態では、電気光学モジュール１０の光入射側に乱流発生用の突部６９、８９を設けたが、電気光学モジュール１０の光出射側に乱流発生用の突部６９、８９を設けてもよい。
【００７４】
上記実施の形態では、透過型の電気光学パネル４０を備えた電気光学モジュール１０を例示したが、反射型の電気光学パネル４０を備えた電気光学モジュール１０に本発明を適用してもよい。
【００７５】
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【００７６】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【００７７】
［他の電子機器］
本発明を適用した電気光学モジュールについては、上記の電子機器（投射型表示装置）の他にも、ヘッドマウントディスプレイ、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【００７８】
１・・投射型表示装置、１０・・電気光学モジュール、１５Ｂ・・吸気ファン（冷却装置）、３０・・パネル保持部材、４０・・電気光学パネル（液晶パネル）、４０ａ・・画像表示領域、５１・・第１基板（素子基板）、５２・・第２基板（対向基板）、５６・・第１透光板、５７・・第２透光板、６０・・フレーム（第１パネル保持部材）、６９、８９・・乱流発生用の突部、８０・・見切り部材（第２パネル保持部材）、４５０・・電気光学物質層（液晶層）、６９０、８９０・・突部の先端、６９１、８９１・・第１斜辺、６９２、８９２・・第２斜辺、６９５、８９５・・隙間、６９６、８９６・・隙間の底
【図１】
2013242358.tif 000003
【図２】
2013242358.tif 000004
【図３】
2013242358.tif 000005
【図４】
2013242358.tif 000006
【図５】
2013242358.tif 000007
【図６】
2013242358.tif 000008
【図７】
2013242358.tif 000009
【図８】
2013242358.tif 000010
【図９】
2013242358.tif 000011